(57)【要約】      （修正有）【課題】編み方向に沿った形状が非対称で、より高いマッサージ効果が期待できる編み地を提供する。【解決手段】編み方向に直交する方向に沿って連続的に形成された隆起凸部を有し、隆起凸部の先端が、前記編み方向に沿ったいずれかの方向に傾斜した斜面を構成する。編み方向及び編み方向に直交する方向に平編み部が連続した第１領域と、編み方向に浮き目が連続した第１飛ばし編み部と、平編み部とが、前記編み方向と直交する方向に規則的に繰り返し配列された第２領域と、編み方向に浮き目が連続した第２飛ばし編み部と、編み方向に第２飛ばし編み部よりも少ない段に亘って浮き目が形成された第３飛ばし編み部と、平編み部とが、編み方向と直交する方向に規則的に繰り返し配列された第３領域とが編み方向に順次繰り返し配列して構成され、第２領域と第３領域とが隆起凸部を構成する。【選択図】図１
0003168766.tif 000002
【実用新案登録請求の範囲】
【請求項１】
編み方向に直交する方向に沿って連続的に形成された隆起凸部を有し、
該隆起凸部の先端が、前記編み方向に沿ったいずれかの方向に傾斜した斜面を構成することを特徴とする編み地。
【請求項２】
編み方向及び該編み方向に直交する方向に平編み部が連続した第１領域と、
飛ばし編みがなされたことによって前記編み方向に浮き目が連続した第１飛ばし編み部と、平編み部とが、前記編み方向と直交する方向に規則的に繰り返し配列された第２領域と、
前記飛ばし編みがなされたことによって前記編み方向に浮き目が連続した第２飛ばし編み部と、前記飛ばし編みとは異なる他の飛ばし編みがなされたことによって前記編み方向に前記第２飛ばし編み部よりも少ない段に亘って浮き目が形成された第３飛ばし編み部と、平編み部とが、前記編み方向と直交する方向に規則的に繰り返し配列された第３領域と、
を前記編み方向に順次繰り返し配列して構成され、
前記第２領域と前記第３領域とが隆起凸部を構成したことを特徴とする編み地。
【請求項３】
図１に示す組織が編み方向及びそれと直交する方向に繰り返された構造を少なくとも一部に含み、
図１における領域１−Ａと領域１−Ｂとが隆起凸部を構成したことを特徴とする編み地。
但し、図１において、×は飛ばし編みによって糸が浮き上がった浮き目、○は編み目が形成された平編み部。
【請求項４】
インナーウェアの少なくとも一部を構成し、
前記隆起凸部が肌に当接する側に設けられたことを特徴とする請求項１〜３のいずれか１項に記載の編み地。
【考案の詳細な説明】
【技術分野】
【０００１】
本考案は、インナーウェアその他の各種衣類に使用可能な編み地に関し、詳しくは、片面に隆起凸部を有する編み地に関する。
【背景技術】
【０００２】
タイツ，スパッツ，ガードル等の衣類では、編み方向に直交する方向に沿って飛ばし編み部と平編み部とを並べて配列することによって、その部分に隆起凸部を形成することが提案されている。このような隆起凸部が形成された編み地を、当該隆起凸部が肌に当接する側になるように用いてインナーウェア等を作成すれば、前記隆起凸部が使用者の肌にマッサージ効果を呈する（例えば特許文献１参照）。
【先行技術文献】
【特許文献】
【０００３】
【特許文献１】特許第３２１５４０１号公報
【考案の概要】
【考案が解決しようとする課題】
【０００４】
ところが、このようにして形成された隆起凸部は、編み方向（以下、縦方向または上下方向ともいう）に沿った断面形状が、上下対称となってしまう。隆起凸部が上下非対称であった方がマッサージ効果が高い場合もあるが、そのような編み地は現存しない。そこで、本考案は、編み方向に沿った形状が非対称で、より高いマッサージ効果が期待できる編み地を提供することを目的としてなされた。
【課題を解決するための手段】
【０００５】
前記目的を達するためになされた請求項１記載の編み地は、編み方向に直交する方向に沿って連続的に形成された隆起凸部を有し、該隆起凸部の先端が、前記編み方向に沿ったいずれかの方向に傾斜した斜面を構成することを特徴としている。
【０００６】
このように構成された本考案の編み地は、編み方向に直交する方向（以下、横方向または左右方向ともいう）に沿って連続的に形成された隆起凸部を有し、該隆起凸部の先端が、前記編み方向に沿ったいずれかの方向に傾斜した斜面を構成している。このため、例えば、本考案の編み地によってタイツ，スパッツ，ガードル等を製造する際、前記隆起凸部が肌に当接する側に設けられ、着用状態で前記斜面が下を向くように編み地を配置すれば、着用時には隆起凸部の鋭角側が肌に押圧されて、着用中の隆起凸部によるマッサージ効果が一層高くなる。
【０００７】
また、前記目的を達するためになされた請求項２記載の編み地は、編み方向及び該編み方向に直交する方向に平編み部が連続した第１領域と、飛ばし編みがなされたことによって前記編み方向に浮き目が連続した第１飛ばし編み部と、平編み部とが、前記編み方向と直交する方向に規則的に繰り返し配列された第２領域と、前記飛ばし編みがなされたことによって前記編み方向に浮き目が連続した第２飛ばし編み部と、前記飛ばし編みとは異なる他の飛ばし編みがなされたことによって前記編み方向に前記第２飛ばし編み部よりも少ない段に亘って浮き目が形成された第３飛ばし編み部と、平編み部とが、前記編み方向と直交する方向に規則的に繰り返し配列された第３領域と、を前記編み方向に順次繰り返し配列して構成され、前記第２領域と前記第３領域とが隆起凸部を構成したことを特徴としている。
【０００８】
このように構成された本考案の編み地では、第１領域は、平編み部が縦横に連続しているので、平面状に構成される。また、第２領域は、飛ばし編みがなされたことによって縦方向に浮き目が連続した第１飛ばし編み部と平編み部とが、横方向に規則的に繰り返し配列されているので、この部分では隆起凸部が形成される。そして、第３領域では、第２領域と同一の飛ばし編みがなされたことによって縦方向に浮き目が連続した第２飛ばし編み部と平編み部とが、横方向に規則的に繰り返し配列されているので、この部分でも第２領域と同様に隆起凸部が形成される。このため、第２領域と第３領域とによって、編み方向に直交する方向（横方向）に隆起凸部が連続的に形成される。
【０００９】
しかしながら、この第３領域には、前記飛ばし編みとは異なる他の飛ばし編みがなされたことによって前記編み方向に前記第２飛ばし編み部よりも少ない段に亘って浮き目が形成された第３飛ばし編み部も、前記第２飛ばし編み部及び平編み部と共に横方向に規則的に配列されている。このため、前記第３飛ばし編み部があることにより、この第３領域では編み地の湾曲が第２領域比べて抑制され、その部分の隆起凸部の先端は、前記編み方向に沿って前記第２領域とは反対方向に傾斜した斜面を構成する。
【００１０】
本考案の編み地では、前述のような第１領域，第２領域，第３領域が編み方向に順次繰り返し配列されているので、請求項１記載の編み地と同様に、編み方向に直交する方向に沿って連続的に形成された隆起凸部を有し、該隆起凸部の先端が、前記編み方向に沿ったいずれかの方向に傾斜した斜面を構成する。このため、例えば、本考案の編み地によってタイツ，スパッツ，ガードル等を製造する際、前記隆起凸部が肌に当接する側に設けられ、着用状態で前記斜面が下を向くように編み地を配置すれば、着用時には隆起凸部の鋭角側が肌に押圧されて、着用中の隆起凸部によるマッサージ効果が一層高くなる。
【００１１】
また、前記目的を達するためになされた請求項３記載の編み地は、図１に示す組織が編み方向及びそれと直交する方向に繰り返された構造を少なくとも一部に含み、図１における領域１−Ａと領域１−Ｂとが隆起凸部を構成したことを特徴としている。但し、図１において、×は飛ばし編みによって糸が浮き上がった浮き目、○は編み目が形成された平編み部である。
【００１２】
すなわち、図１に示す組織は、４ウエールＡ，Ｂ，Ｃ，Ｄで１レピートを完成させ、ウエールＡでは、領域１−Ａ，１−Ｂに亘って２５段の飛ばし編みがなされることによって２４個の浮き目が連続している。また、ウエールＣでは、領域１−Ｂにおいて、２段の飛ばし編みが７回繰り返されることによって、７個の浮き目が１つ置きに配設されている。更に、他のウエールＢ，Ｄは全て平編みで構成され、領域２のウエールＡと領域２及び１−ＡのウエールＣも全て平編みで構成されている。このため、領域２は請求項２の第１領域となり、領域１−Ａは請求項２の第２領域となり、領域１−Ｂは請求項２の第３領域となる。従って、本考案の編み地では、図１に示す組織を有する領域の領域１−Ａ，１−Ｂが隆起凸部を形成し、その隆起凸部先端の領域１−Ｂに相当する箇所が、図１における下方向に傾斜した斜面を構成する。このため、例えば、本考案の編み地によってタイツ，スパッツ，ガードル等を製造する際、前記隆起凸部が肌に当接する側に設けられ、着用状態で前記斜面が下を向くように編み地を配置すれば、着用時には隆起凸部の鋭角側が肌に押圧されて、着用中の隆起凸部によるマッサージ効果が一層高くなる。
【００１３】
また、請求項１〜３のいずれかに記載の編み地は、インナーウェアの少なくとも一部を構成し、前記隆起凸部が肌に当接する側に設けられてもよい。その場合、隆起凸部が肌を押圧することでマッサージ効果が得られる。
【図面の簡単な説明】
【００１４】
【図１】本考案を適用した編み地組織を模式的に表す説明図である。
【図２】その編み地組織の断面形状を模式的に表す説明図である。
【図３】比較例の編み地組織及びその断面形状を模式的に表す説明図である。
【図４】図１の編み地組織を応用したガードルの構成を表す斜視図，断面図である。
【考案を実施するための形態】
【００１５】
次に本考案の実施形態を図面と共に説明する。図１は、本考案を適用した実施形態の編み地組織を模式的に表す説明図であり、図２は、その編み地組織の断面形状を模式的に表す説明図である。なお、図１において、×は飛ばし編みによって糸が浮き上がった浮き目（フロート目またはミスともいう）、○は編み目が形成された平編み部（プレーンまたはニットともいう）である。
【００１６】
図１に示すように、本実施形態の編み地組織は、４ウエールＡ，Ｂ，Ｃ，Ｄで１レピートを完成させ、ウエールＡでは、領域１−Ａ，１−Ｂに亘って２５段の飛ばし編みがなされることによって２４個の浮き目が連続している。また、ウエールＣでは、領域１−Ｂにおいて、２段の飛ばし編みが７回繰り返されることによって、７個の浮き目が１つ置きに配設されている。更に、他のウエールＢ，Ｄは全て平編みで構成され、領域２のウエールＡと領域２及び１−ＡのウエールＣも全て平編みで構成されている。
【００１７】
このように構成された本実施形態の編み地では、領域２（第１領域に相当）は、平編み部が縦横に連続しているので、この部分は、図２に示すような平面部５として構成される。また、領域１−Ａ（第２領域に相当）は、前記２５段の飛ばし編みがなされたことによってウエールＡに浮き目が連続した部分（第１飛ばし編み部に相当）とウエールＢ，Ｃ，Ｄの平編み部とが、横方向に規則的に繰り返し配列されているので、この部分では図２に示すように隆起凸部７が形成される。そして、領域１−Ｂ（第３領域に相当）では、前記２５段の飛ばし編みがなされたことによってウエールＡに浮き目が連続した部分（第２飛ばし編み部に相当）とウエールＢ，Ｄの平編み部とが、横方向に規則的に繰り返し配列されているので、この部分でも領域１−Ａと同様に隆起凸部７が形成される。このため、領域１−Ａ，１−Ｂによって、編み方向に直交する方向（横方向）に隆起凸部７が連続的に形成される。なお、図２に示すように、隆起凸部７の裏側には、ウエールＡで飛ばし編みがなされた糸９が張られている。
【００１８】
しかしながら、領域１−ＢのウエールＣには、前記２５段の飛ばし編みとは異なる２段の飛ばし編みがなされたことによって１つ置きに浮き目が配設された部分形成された部分（第３飛ばし編み部に相当）も、規則的に配列されている。このため、このウエールＣの飛ばし編み部があることにより、領域１−Ｂでは編み地の湾曲が領域１−Ａに比べて抑制され、その部分の隆起凸部７の先端は、図２に示すように、前記編み方向に沿って領域１−Ａとは反対方向に傾斜した斜面を構成する。
【００１９】
本実施形態の編み地では、前述のような領域１−Ａ，１−Ｂ，２が編み方向に順次繰り返し（少なくとも２回以上）配列されているので、図２に示すように、編み方向に直交する方向に沿って連続的に形成された隆起凸部７を有し、その隆起凸部７の先端が、前記編み方向に沿った方向（領域１−Ａとは反対方向）に傾斜した斜面を構成する。このため、例えば、本実施形態の編み地によってタイツ，スパッツ，ガードル等を製造する際、隆起凸部７が肌に当接する側に設けられ、着用状態で前記斜面が下を向くように編み地を配置すれば、着用時には隆起凸部７の鋭角側が肌に押圧されて、着用中の隆起凸部７によるマッサージ効果が一層高くなる。
【００２０】
すなわち、図３（Ａ）に示す比較例としての編み地は、ウエールＡのみに浮き目が連続して他のウエールＢ，Ｃ，Ｄは平編み部とされた領域１と平編み部が縦横に連続した領域２とで構成されている。この編み地では、図３（Ｂ）に示すように、隆起凸部７の編み方向（上下方向）に沿った断面形状が、上下対称となってしまい、十分なマッサージ効果が得られない場合がある。これに対して、本実施形態では、前述のように隆起凸部７の編み方向に沿った形状が非対称であるので、より高いマッサージ効果が期待できる。
【００２１】
図４（Ａ）は、本実施形態の編み地組織を応用したガードル５０の構成を表す斜視図であり、図４（Ｂ）はそのＡ−Ａ断面図である。図４（Ａ）に示すように、ガードル５０では、腰の周囲各部に当たる部分５１と、左大腿部の周囲各部に当たる部分５２と、右大腿部の周囲各部に当たるに部分５３とに、本実施形態の編み地組織が適用されている。
【００２２】
そして、図４（Ｂ）に示すように、このガードル５０では、図２の例よりも糸が強く編み込まれて、その内面（裏生地）から隆起凸部７が上方に鋭角に突出している。このようなガードル５０の着用時には隆起凸部７の鋭角側が使用者の肌に押圧されて、着用中の隆起凸部７によるマッサージ効果が一層高くなる。また、図４（Ｂ）に示すように、隆起凸部７の裏側には、ウエールＡで飛ばし編みがなされた糸９が張られており、この面がガードル５０の表生地となる。なお、このようなガードル５０を前記組織で構成するための繊維としては、種々のものが使用できるが、例えば、３０，５０，または７０デニールのナイロンまたはポリウレタン繊維を使用することができる。
【００２３】
また、本考案は前記実施形態に何ら限定されるものではなく、本考案の要旨を逸脱しない範囲で種々の形態で実施することができる。例えば、編み地の組織は図１に示したものに限定されるものではなく、１レピートを構成するウエールの数や飛ばし編みの段数は適宜変更することができる。また、本考案の編み地はガードル以外のインナーウェアやインナーウェア以外の衣類にも適用可能であり、前記斜面の適切な方向は衣類によって異なる。
【符号の説明】
【００２４】
１−Ａ，１−Ｂ，２…領域      ５…平面部      ７…隆起凸部      ５０…ガードル
【図１】
0003168766.tif 000003
【図２】
0003168766.tif 000004
【図３】
0003168766.tif 000005
【図４】
0003168766.tif 000006
【手続補正書】
【提出日】平成23年4月26日(2011.4.26)
【手続補正１】
【補正対象書類名】実用新案登録請求の範囲
【補正対象項目名】全文
【補正方法】変更
【補正の内容】
【実用新案登録請求の範囲】
【請求項１】
編み方向に直交する方向に沿って連続的に形成された隆起凸部を有し、
該隆起凸部の先端が、前記編み方向に沿ったいずれかの方向に傾斜した斜面を構成することを特徴とする編み地。
【請求項２】
前記編み方向及び該編み方向に直交する方向に平編み部が連続した第１領域と、
飛ばし編みがなされたことによって前記編み方向に浮き目が連続した第１飛ばし編み部と、平編み部とが、前記編み方向と直交する方向に規則的に繰り返し配列された第２領域と、
前記飛ばし編みがなされたことによって前記編み方向に浮き目が連続した第２飛ばし編み部と、前記飛ばし編みとは異なる他の飛ばし編みがなされたことによって前記編み方向に前記第２飛ばし編み部よりも少ない段に亘って浮き目が形成された第３飛ばし編み部と、平編み部とが、前記編み方向と直交する方向に規則的に繰り返し配列された第３領域と、
を前記編み方向に順次繰り返し配列して構成され、
前記第２領域と前記第３領域とが前記隆起凸部を構成したことを特徴とする請求項１に記載の編み地。
【請求項３】
インナーウェアの少なくとも一部を構成し、
前記隆起凸部が肌に当接する側に設けられたことを特徴とする請求項１または２に記載の編み地。
【手続補正２】
【補正対象書類名】明細書
【補正対象項目名】０００７
【補正方法】変更
【補正の内容】
【０００７】
また、前記目的を達するためになされた請求項２記載の編み地は、請求項１に記載の編み地において、前記編み方向及び該編み方向に直交する方向に平編み部が連続した第１領域と、飛ばし編みがなされたことによって前記編み方向に浮き目が連続した第１飛ばし編み部と、平編み部とが、前記編み方向と直交する方向に規則的に繰り返し配列された第２領域と、前記飛ばし編みがなされたことによって前記編み方向に浮き目が連続した第２飛ばし編み部と、前記飛ばし編みとは異なる他の飛ばし編みがなされたことによって前記編み方向に前記第２飛ばし編み部よりも少ない段に亘って浮き目が形成された第３飛ばし編み部と、平編み部とが、前記編み方向と直交する方向に規則的に繰り返し配列された第３領域と、を前記編み方向に順次繰り返し配列して構成され、前記第２領域と前記第３領域とが前記隆起凸部を構成したことを特徴としている。
【手続補正３】
【補正対象書類名】明細書
【補正対象項目名】００１０
【補正方法】変更
【補正の内容】
【００１０】
本考案の編み地では、前述のような第１領域，第２領域，第３領域が編み方向に順次繰り返し配列されているので、編み方向に直交する方向に沿って連続的に形成された前記隆起凸部を有し、該隆起凸部の先端が、前記編み方向に沿ったいずれかの方向に傾斜した斜面を構成する。このため、例えば、本考案の編み地によってタイツ，スパッツ，ガードル等を製造する際、前記隆起凸部が肌に当接する側に設けられ、着用状態で前記斜面が下を向くように編み地を配置すれば、着用時には隆起凸部の鋭角側が肌に押圧されて、着用中の隆起凸部によるマッサージ効果が一層高くなる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、請求項１または２に記載の編み地は、インナーウェアの少なくとも一部を構成し、前記隆起凸部が肌に当接する側に設けられてもよい。その場合、隆起凸部が肌を押圧することでマッサージ効果が得られる。